(57)【要約】      （修正有）【課題】透明性が高く、映像のコントラストの高い映像を表示できる反射スクリーン、及び、これを備える映像表示装置を提供する。【解決手段】スクリーン１０は、光透過性を有し、映像光が入射する第１の面１２１ａとこれに対向する第２の面１２１ｂとを有する単位光学形状１２１が、背面側の面に複数配列された第１光学形状層１２と、単位光学形状１２１の背面側に第１の面１２１ａ及び第２の面１２１ｂに沿って形成され、その表面が不規則な凹凸形状を有する粗面であり、入射する光の一部を反射し、一部を透過する機能を有する反射層１３とを備え、第２の面１２１ｂにおいて最も背面側に位置する点ｔと第２の面１２１ｂにおいて最も映像源側に位置する点ｖとを通る平面は、スクリーン１０のスクリーン面の法線方向に対して交差する形態とする。【選択図】図２
2018063404.tif 000002
【特許請求の範囲】
【請求項１】
透明性を有し、映像源から投射された映像光の少なくとも一部を反射して映像を表示し、かつ、映像光の一部を透過する反射スクリーンであって、
光透過性を有し、映像光が入射する第１の面とこれに対向する第２の面とを有する単位光学形状が、背面側の面に複数配列された光学形状層と、
前記単位光学形状の背面側に前記第１の面及び前記第２の面に沿って形成され、その表面が不規則な凹凸形状を有する粗面であり、入射する光の一部を反射し、一部を透過する機能を有する反射層と、
を備え、
前記第２の面において最も背面側に位置する点と前記第２の面において最も映像源側に位置する点とを通る平面は、該反射スクリーンのスクリーン面の法線方向に対して交差すること、
を特徴とする反射スクリーン。
【請求項２】
請求項１に記載の反射スクリーンにおいて、
前記第２の面において最も背面側に位置する点と前記第２の面において最も映像源側に位置する点とを通る平面が、該反射スクリーンのスクリーン面に平行な方向となす角度をθ２とするとき、前記角度θ２は、２５°≦θ２≦６５°を満たすこと、
を特徴とする反射スクリーン。
【請求項３】
請求項１又は請求項２に記載の反射スクリーンにおいて、
前記第２の面は、少なくとも一部が曲面であり、
前記第２の面の接線又は前記第２の面が該反射スクリーンのスクリーン面に平行な方向となす角度を角度θ３とすると、前記第２の面において、２５°≦θ３≦６５°を満たす領域は、前記角度θ３が０°≦θ３＜２５°を満たす領域の面積と前記角度θ３が６５°＜θ３≦９０°を満たす領域の面積との和よりも大きいこと、
を特徴とする反射スクリーン。
【請求項４】
請求項１から請求項３までのいずれか１項に記載の反射スクリーンにおいて、
前記光学形状層は、背面側の面に、前記単位光学形状が同心円状に複数配列されたサーキュラーフレネルレンズ形状を有すること、
を特徴とする反射スクリーン。
【請求項５】
請求項１から請求項４までのいずれか１項に記載の反射スクリーンにおいて、
光を拡散する作用を有する拡散粒子を含有する光拡散層を備えていないこと、
を特徴とする反射スクリーン。
【請求項６】
請求項１から請求項５までのいずれか１項に記載の反射スクリーンにおいて、
光透過性を有し、前記反射層の背面側に設けられ、前記単位光学形状による凹凸の谷部を充填するように積層された第２光学形状層を備えること、
を特徴とする反射スクリーン。
【請求項７】
請求項１から請求項６までのいずれか１項に記載の反射スクリーンと、
前記反射スクリーンに映像光を投射する映像源と、
を備える映像表示装置。
【発明の詳細な説明】
【技術分野】
【０００１】
本発明は、反射スクリーンと、これを備える映像表示装置に関するものである。
【背景技術】
【０００２】
従来、映像源から投射された映像光を反射して表示する反射スクリーンとして、様々なものが開発されている（例えば、特許文献１参照）。なかでも、透明性を有する半透過型の反射スクリーンは、映像光を投射しない不使用時等にはスクリーンの向こう側の景色が透けて見えるという利点があり、その意匠性の高さ等から需要が高まっている。
【先行技術文献】
【特許文献】
【０００３】
【特許文献１】特開平９−１１４００３号公報
【発明の概要】
【発明が解決しようとする課題】
【０００４】
しかし、上述のような反射スクリーンが光を拡散する拡散粒子等を含有する光拡散層を備えている場合等に、スクリーンの向こう側の景色が白っぽくぼやけて観察され、意匠性が低下するという問題があり、透明性の向上が課題となっていた。
また、上述のような反射スクリーンに対して、外光による映像のコントラスト低下を抑制し、明るく明瞭な映像を表示することも求められている。
上述の特許文献１には、透過型、反射型の両方に使用することができるスクリーンが提案されており、背面側からの光を透過することが可能である。しかし、この特許文献１には、スクリーンの透明性の向上等に関しては、なんら開示されていない。
【０００５】
本発明の課題は、透明性が高く、映像のコントラストの高い映像を表示できる反射スクリーン、及び、これを備える映像表示装置を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、透明性を有し、映像源から投射された映像光の少なくとも一部を反射して映像を表示し、かつ、映像光の一部を透過する反射スクリーンであって、光透過性を有し、映像光が入射する第１の面（１２１ａ，２２１ａ）とこれに対向する第２の面（１２１ｂ，２２１ｂ）とを有する単位光学形状（１２１，２２１）が、背面側の面に複数配列された光学形状層（１２，２２）と、前記単位光学形状の背面側に前記第１の面及び前記第２の面に沿って形成され、その表面が不規則な凹凸形状を有する粗面であり、入射する光の一部を反射し、一部を透過する機能を有する反射層（１３，２３）と、を備え、前記第２の面において最も背面側に位置する点（ｔ）と前記第２の面において最も映像源側に位置する点（ｖ）とを通る平面（Ｍ）は、該反射スクリーンのスクリーン面の法線方向に対して交差すること、を特徴とする反射スクリーン（１０，２０）である。
請求項２の発明は、請求項１に記載の反射スクリーンにおいて、前記第２の面（１２１ｂ，２２１ｂ）において最も背面側に位置する点（ｔ）と前記第２の面において最も映像源側に位置する点（ｖ）とを通る平面が、該反射スクリーンのスクリーン面に平行な方向となす角度をθ２とするとき、前記角度θ２は、２５°≦θ２≦６５°を満たすこと、を特徴とする反射スクリーン（１０，２０）である。
請求項３の発明は、請求項１又は請求項２に記載の反射スクリーンにおいて、前記第２の面は、少なくとも一部が曲面であり、前記第２の面（１２１ａ）の接線（Ｓ）又は前記第２の面が該反射スクリーンのスクリーン面に平行な方向となす角度を角度θ３とすると、前記第２の面において、２５°≦θ３≦６５°を満たす領域は、前記角度θ３が０°≦θ３＜２５°を満たす領域の面積と前記角度θ３が６５°＜θ３≦９０°を満たす領域の面積との和よりも大きいこと、を特徴とする反射スクリーン（２０）である。
請求項４の発明は、請求項１から請求項３までのいずれか１項に記載の反射スクリーンにおいて、前記光学形状層（１２，２２）は、背面側の面に、前記単位光学形状（１２１，２２１）が同心円状に複数配列されたサーキュラーフレネルレンズ形状を有すること、を特徴とする反射スクリーン（１０，２０）である。
請求項５の発明は、請求項１から請求項４までのいずれか１項に記載の反射スクリーンにおいて、光を拡散する作用を有する拡散粒子を含有する光拡散層を備えていないこと、を特徴とする反射スクリーン（１０，２０）である。
請求項６の発明は、請求項１から請求項５までのいずれか１項に記載の反射スクリーンにおいて、光透過性を有し、前記反射層（１３，２３）の背面側に設けられ、前記単位光学形状（１２１，２２１）による凹凸の谷部を充填するように積層された第２光学形状層（１４，２４）を備えること、を特徴とする反射スクリーン（１０，２０）である。
請求項７の発明は、請求項１から請求項６までのいずれか１項に記載の反射スクリーン（１０，２０）と、前記反射スクリーンに映像光を投射する映像源（ＬＳ）と、を備える映像表示装置（１）である。
【発明の効果】
【０００７】
本発明によれば、透明性が高く、映像のコントラストの高い映像を表示できる反射スクリーン、及び、これを備える映像表示装置を提供することができる。
【図面の簡単な説明】
【０００８】
【図１】第１実施形態の映像表示装置１を示す図である。
【図２】第１実施形態のスクリーン１０の層構成を説明する図である。
【図３】第１実施形態の第１光学形状層１２を背面側（−Ｚ側）から見た図である。
【図４】第１実施形態の単位光学形状１２１及び反射層１３を説明する図である。
【図５】角度θ２と外光との関係を説明する図である。
【図６】第１実施形態のスクリーン１０での映像光及び外光の様子を示す図である。
【図７】第２実施形態のスクリーン２０について説明する図である。
【図８】第２実施形態の単位光学形状２２１及び反射層２３を説明する図である。
【発明を実施するための形態】
【０００９】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書中において、記載する各部材の寸法等の数値及び材料名等は、実施形態としての一例であり、これに限定されるものではなく、適宜選択して使用してよい。
【００１０】
本明細書中において、板、シート等の言葉を使用している。一般的に、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、スクリーン面とは、スクリーン全体として見たときにおける、スクリーンの平面方向となる面を示すものであり、スクリーンの画面（表示面）に平行であるとする。
【００１１】
（第１実施形態）
図１は、第１実施形態の映像表示装置１を示す図である。図１（ａ）では、映像表示装置１の斜視図であり、図１（ｂ）は、映像表示装置１を側面から見た図である。
映像表示装置１は、スクリーン１０、映像源ＬＳ等を有している。本実施形態のスクリーン１０は、映像源ＬＳから投影された映像光Ｌを反射して、その映像源側の画面（表示面）に映像を表示可能である。このスクリーン１０の詳細に関しては、後述する。
【００１２】
ここで、理解を容易にするために、図１を含め以下に示す各図において、適宜、ＸＹＺ直交座標系を設けて示している。この座標系では、スクリーン１０の使用状態における画面の左右方向（水平方向）をＸ方向、上下方向（鉛直方向）をＹ方向とし、スクリーン１０の厚み方向をＺ方向とする。スクリーン１０の画面は、ＸＹ面に平行であり、スクリーン１０の厚み方向（Ｚ方向）は、スクリーン１０の画面に直交する。スクリーン１０の画面は、スクリーン面に平行である。
また、スクリーン１０の映像源側の正面方向に位置する観察者Ｏ１から見て画面左右方向の右側に向かう方向を＋Ｘ方向、画面上下方向の上側に向かう方向を＋Ｙ方向、厚み方向において背面側（裏面側）から映像源側に向かう方向を＋Ｚ方向とする。
さらに、以下の説明中において、画面上下方向、画面左右方向、厚み方向とは、特に断りが無い場合、このスクリーン１０の使用状態における画面上下方向（鉛直方向）、画面左右方向（水平方向）、厚み方向（奥行き方向）であり、それぞれ、Ｙ方向、Ｘ方向、Ｚ方向に平行であるとする。
【００１３】
映像源ＬＳは、映像光Ｌをスクリーン１０へ投影する映像投射装置（プロジェクタ）である。本実施形態の映像源ＬＳは、短焦点型のプロジェクタである。
この映像源ＬＳは、映像表示装置１の使用状態において、スクリーン１０の画面（表示領域）を映像源側（＋Ｚ側）の正面方向（スクリーン面の法線方向）から見た場合に、スクリーン１０の画面左右方向の中央であって、スクリーン１０の画面よりも鉛直方向下方側（−Ｙ側）に位置している。
映像源ＬＳは、奥行き方向（Ｚ方向）において、スクリーン１０の映像源側（＋Ｚ側）の表面からの距離が従来の汎用プロジェクタに比べて大幅に近い位置から、斜めに映像光Ｌを投影できる。したがって、従来の汎用プロジェクタに比べて、映像源ＬＳは、スクリーン１０までの投射距離が短く、投射された映像光がスクリーン１０に入射する入射角度が大きく、入射角度の変化量も大きい。
【００１４】
スクリーン１０は、映像源ＬＳが投射した映像光Ｌの一部を映像源側（＋Ｚ側）に位置する観察者Ｏ１側へ向けて反射して映像を表示する反射スクリーンであり、かつ、映像光を投射しない不使用時等において、スクリーン１０の向こう側の景色を観察できる透明性を有する半透過型の反射スクリーンである。
スクリーン１０の画面（表示領域）は、使用状態において、映像源側（＋Ｚ側）の観察者Ｏ１側から見て長辺方向が画面左右方向となる略矩形状である。
スクリーン１０は、その画面サイズが対角４０〜１００インチ程度であり、画面の横縦比が１６：９である。なお、これに限らず、例えば、スクリーン１０は、画面サイズが４０インチ以下の大きさとしてもよく、使用目的や使用環境等に応じて、その大きさや形状は適宜選択できるものとする。
【００１５】
一般的に、スクリーン１０は、樹脂製の薄い層の積層体等であり、それ単独では平面性を維持するだけの十分な剛性を有していない場合が多い。そのため、スクリーン１０は、その背面側に光透過性を有する不図示の接合層を介して不図示の支持板一体に接合（あるいは部分固定）され、画面の平面性を維持する形態としてもよい。
この支持板は、光透過性を有し、剛性が高い平板状の部材であり、アクリル樹脂やＰＣ樹脂等の樹脂製、ガラス製等の板状の部材を用いることができる。
本実施形態の映像表示装置１は、例えば、店舗のショーウィンドウに適用される。このとき、スクリーン１０は、ショーウィンドウのガラスを上述の支持板として固定される形態とすることが好適である。
【００１６】
図２は、第１実施形態のスクリーン１０の層構成を説明する図である。図２では、スクリーン１０の映像源側（＋Ｚ側）の画面中央（画面の幾何学的中心）となる点Ａ（図１参照）を通り、画面上下方向（Ｙ方向）に平行であって、スクリーン面に垂直（厚み方向であるＺ方向に平行）な断面の一部を拡大して示している。
図３は、第１実施形態の第１光学形状層１２を背面側（−Ｚ側）から見た図である。理解を容易にするために、スクリーン１０の反射層１３や第２光学形状層１４、保護層１５等を省略して示している。
図４は、第１実施形態の単位光学形状１２１及び反射層１３を説明する図である。図４では、図２に示すスクリーン１０の断面の一部を拡大して示している。また、図４では、理解を容易にするために、第１光学形状層１２、反射層１３、第２光学形状層１４のみを示している。
スクリーン１０は、図２に示すように、その映像源側（＋Ｚ側）から順に、基材層１１、第１光学形状層１２、反射層１３、第２光学形状層１４、保護層１５を備えている。
【００１７】
基材層１１は、光透過性を有するシート状の部材である。基材層１１は、その背面側（裏面側，−Ｚ側）に、第１光学形状層１２が一体に形成されている。この基材層１１は、第１光学形状層１２を形成する基材（ベース）となる層である。
基材層１１は、例えば、高い光透過性を有するＰＥＴ（ポリエチレンテレフタレート）等のポリエステル樹脂、アクリル樹脂、スチレン樹脂、アクリルスチレン樹脂、ＰＣ（ポリカーボネート）樹脂、脂環式ポリオレフィン樹脂、ＴＡＣ（トリアセチルセルロース）樹脂等により形成される。
【００１８】
第１光学形状層１２は、基材層１１の背面側（−Ｚ側）に形成された光透過性を有する層である。第１光学形状層１２の背面側（−Ｚ側）の面には、単位光学形状（単位レンズ）１２１が複数配列されて設けられている。
図３に示すように、単位光学形状１２１は、真円の一部形状（円弧状）であり、スクリーン１０の画面外（表示領域外）に位置する点Ｃを中心として、同心円状に複数配列されている。即ち、第１光学形状層１２は、背面側の面に、点Ｃをフレネルセンターとする、所謂オフセット構造のサーキュラーフレネルレンズ形状を有している。
この点Ｃは、図３に示すように、スクリーン１０の画面（表示領域）の左右方向の中央であって画面下方に位置しており、スクリーン１０を正面方向から見た場合、点Ｃと点Ａとは、Ｙ方向に平行な同一直線上に位置している。
【００１９】
単位光学形状１２１は、図２及び図４に示すように、スクリーン面に直交する方向（Ｚ方向）に平行であって、単位光学形状１２１の配列方向に平行な断面における断面形状が、略三角形形状である。
単位光学形状１２１は、背面側（−Ｚ側）に凸であり、映像光が入射する第１の面（レンズ面）１２１ａと、これに対向する第２の面（非レンズ面）１２１ｂとを有している。１つの単位光学形状１２１において、第２の面１２１ｂは、単位光学形状１２１の頂点ｔを挟んで第１の面１２１ａの下側（−Ｙ側）に位置している。
第１の面１２１ａがスクリーン面に平行な面となす角度は、θ１である。第２の面１２１ｂがスクリーン面に平行な面となす角度は、θ２である。角度θ１，θ２は、θ２＞θ１という関係を満たしている。
【００２０】
単位光学形状１２１の第１の面１２１ａ及び第２の面１２１ｂは、その表面に微細かつ不規則な凹凸形状を有しており、粗面状となっている。
この凹凸形状は、微細な凸形状と凹形状とが２次元方向に不規則に配列されて形成されており、凸形状及び凹形状の大きさや形状、高さ等は不規則である。
【００２１】
単位光学形状１２１の配列ピッチは、Ｐであり、単位光学形状１２１の高さ（厚み方向における頂点ｔから単位光学形状１２１間の谷底となる点ｖまでの寸法）は、ｈである。
理解を容易にするために、図２では、単位光学形状１２１の配列ピッチＰ、角度θ１，θ２は、単位光学形状１２１の配列方向において一定である例を示している。しかし、本実施形態の単位光学形状１２１は、実際には、配列ピッチＰは一定であるが、角度θ１が単位光学形状２２１の配列方向においてフレネルセンターとなる点Ｃから離れるにつれて次第に大きくなっている。
角度θ１，θ２、配列ピッチＰ等は、映像源ＬＳからの映像光の投射角度（スクリーン１０への映像光の入射角度）や、映像源ＬＳの画素（ピクセル）の大きさ、スクリーン１０の画面サイズ、各層の屈折率等に応じて、適宜設定してよい。例えば、単位光学形状１２１の配列方向に沿って、配列ピッチＰが変化し、角度θ１，θ２が変化する形態としてもよい。
【００２２】
第１光学形状層１２は、光透過性の高いウレタンアクリレート系、ポリエステルアクリレート系、エポキシアクリレート系、ポリエーテルアクリレート系、ポリチオール系、ブタジエンアクリレート系等の紫外線硬化型樹脂により形成されている。
なお、本実施形態では、第１光学形状層１２を構成する樹脂として、紫外線硬化型樹脂を例に挙げて説明するが、これに限らず、例えば、電子線硬化型樹脂等の他の電離放射線硬化型樹脂により形成してもよい。
【００２３】
図２等に戻り、反射層１３は、入射した光の一部を反射し、一部を透過する機能を有する半透過型の反射層（所謂、ハーフミラー）であり、単位光学形状１２１上（第１の面１２１ａ及び第２の面１２１ｂ上）に形成されている。
反射層１３は、単位光学形状１２１の第１の面１２１ａ及び第２の面１２１ｂに形成された微細かつ不規則な凹凸形状に追従して形成され、かつ、単位光学形状１２１側とは反対側の面にも、この微細かつ不規則な凹凸形状が維持された状態で成膜されている。したがって、反射層１３は、その両面に微細かつ不規則な凹凸形状を有しており、粗面となっている。
この反射層１３は、入射した光の一部を微細かつ不規則な凹凸形状により拡散して反射し、反射しない他の光を拡散しないで透過する。
なお、反射層１３の微細かつ不規則な凹凸形状は、所望する光学性能等に応じてその凹凸の大きさや形状等を適宜選択してよい。
【００２４】
反射層１３は、金属蒸着膜等に比べて高い透明性及び反射率を実現可能な誘電体多層膜により形成されている。誘電体多層膜は、屈折率の高い誘電体膜（以下、高屈折率誘電体膜という）と屈折率が低い誘電体膜（以下、低屈折率誘電体膜という）とが交互に複数積層されて形成されている。
高屈折率誘電体膜は、例えば、ＴｉＯ２（二酸化チタン）、Ｎｂ２Ｏ５（五酸化ニオブ）、Ｔａ２Ｏ５（五酸化タンタル）等により形成される。高屈折率誘電体膜の屈折率は、２．０〜２．６程度である。
低屈折率誘電体膜は、例えば、ＳｉＯ２（二酸化ケイ素）、ＭｇＦ２（フッ化マグネシウム）等により形成される。低屈折率誘電体膜の屈折率は、１．３〜１．５程度である。
高屈折率誘電体膜及び低屈折率誘電体膜の膜厚は、約５〜１００ｎｍであり、これらが交互に２〜１０層程積層されて形成されており、誘電体多層膜の総厚は、１０〜１０００ｎｍ程度である。
【００２５】
本実施形態の反射層１３は、波長域４００〜８００ｎｍの光に対して、その反射率が５〜４５％、透過率が５５〜８５％である。
また、本実施形態の反射層１３の一例としては、ＴｉＯ２（二酸化チタン）等の金属酸化膜により形成された高屈折率誘電体膜と、ＳｉＯ２により形成された低屈折率誘電体膜を複数積層して形成され、その反射率が約２０％、透過率が約７０％である。
【００２６】
誘電体多層膜により形成された反射層１３は、アルミニウム等の金属蒸着膜等により形成された反射層に比べて、高い透明性を有しており、また、光の吸収損失が小さく、高い反射率を実現できる。
また、本実施形態の反射層１３は、単位光学形状１２１上（第１の面１２１ａ及び第２の面１２１ｂ上）に、上述のような誘電体多層膜を蒸着加工する、スパッタ加工する等により、所定の厚さで形成される。
なお、反射層１３は、これに限らず、例えば、アルミニウム、銀、ニッケル等の光反射性の高い金属を蒸着したり、光反射性の高い金属をスパッタリングしたり、金属箔を転写したりする等により形成してもよい。
【００２７】
第２光学形状層１４は、反射層１３の背面側（−Ｚ側）に設けられた光透過性を有する層である。第２光学形状層１４は、単位光学形状１２１による凹凸の谷部を埋めるように形成されており、第１光学形状層１２及び反射層１３の背面側（−Ｚ側）の面を平坦としている。したがって、第２光学形状層１４の映像源側（＋Ｚ側）の面は、第１光学形状層１２の単位光学形状１２１の略逆型の形状が複数配列されて形成されている。
このような第２光学形状層１４を設けることにより、反射層１３を保護できる。また、第２光学形状層１４を設けることにより、スクリーン１０の背面側の面に保護層１５等を積層しやすくなり、さらに、支持板等への接合も容易となる。
【００２８】
第２光学形状層１４の屈折率は、第１光学形状層２２の屈折率と等しい、又は、略等しい（等しいとみなせる程度に屈折率差が小さい）ことが望ましい。また、第２光学形状層１４は、前述の第１光学形状層１２と同じ紫外線硬化型樹脂を用いて形成することが好ましいが、異なる材料により形成してもよい。
本実施形態の第２光学形状層１４は、第１光学形状層１２と同じ材料（紫外線硬化型樹脂）により形成され、その屈折率が第１光学形状層１２の屈折率に等しい。
【００２９】
保護層１５は、第２光学形状層１４の背面側（−Ｚ側）に形成された光透過性を有する層であり、このスクリーン１０の背面側を保護する機能を有している。
保護層１５は、光透過性の高い樹脂製のシート状の部材が用いられる。保護層１５は、例えば、基材層１１と同様の材料を用いて形成されたシート状の部材を用いてもよい。
この保護層１５は、スクリーン１０の背面側の面を不図示の支持板等に接合する場合には、設けない形態としてもよい。
上述のように、本実施形態のスクリーン１０は、光を拡散する拡散作用を有する粒子等の拡散材を含有した光拡散層を備えておらず、映像光は、反射層１３の微細かつ不規則な凹凸形状により拡散反射される。
【００３０】
スクリーン１０は、例えば、以下のような製造方法により形成される。
基材層１１を用意し、その一方の面に、単位光学形状１２１を賦形する成形型に紫外線硬化型樹脂を充填した状態で積層し、紫外線を照射して紫外線硬化型樹脂を硬化させるＵＶ成形法により第１光学形状層１２を形成する。
このとき、単位光学形状１２１を賦形する成形型の第１の面１２１ａ及び第２の面１２１ｂを賦形する面には、微細かつ不規則な凹凸形状が形成されている。この凹凸形状は、成形型の第１の面１２１ａ及び第２の面１２１ｂを賦形する面に、表面加工を複数回行うことにより形成できる。この表面加工は、例えば、めっき加工や、エッチング加工、ブラスト加工等である。また、表面加工は、各種条件等を変更して複数回行ってもよい。
第１光学形状層１２を基材層１１の一方の面に形成した後、第１の面１２１ａ及び第２の面１２１ｂに、誘電体多層膜を蒸着する等により反射層１３を形成する。
【００３１】
その後、反射層１３の上から、単位光学形状１２１による凹凸の谷部を充填して背面側の面が平面状となるように紫外線硬化型樹脂を塗布し、保護層１５を積層し、紫外線を照射して紫外線硬化型樹脂を硬化させ、第２光学形状層１４及び保護層１５を一体に形成する。その後、所定の大きさに裁断する等により、スクリーン１０が完成する。
なお、基材層１１及び保護層１５は、枚葉状としてもよいし、ウェブ状としてもよい。また、スクリーン１０が保護層１５を備えない形態とする場合には、保護層１５積層せずに紫外線硬化型樹脂を硬化させてもよい。
【００３２】
反射層１３の表面に微細な凹凸形状を形成する方法として、例えば、第１の面１２１ａ，第２の面１２１ｂ上に拡散粒子等を塗布してその上から反射層１３を形成したり、第１光学形状層１２を形成後に第１の面１２１ａ，第２の面１２１ｂにブラスト加工を１回行ったりする方法等が従来知られている。
しかし、このような製法では、個々のスクリーン１０での拡散特性や品質等のばらつきが大きく、安定した製造が行えない。これに対して、上述のように、単位光学形状１２１の第１の面１２１ａ，第２の面１２１ｂの凹凸形状を成形型によって賦形することにより、多数のスクリーン１０を製造する場合にも、品質のばらつきが少なく、安定して製造できるという利点がある。
【００３３】
ここで、本実施形態では、図２及び図４に示すように、第２の面１２１ｂは平面状であり、第２の面１２１ｂにおいて最も背面側となる点（即ち、頂点ｔ）と最も映像源側となる点（即ち、隣り合う単位光学形状１２１の間の谷底となる点ｖ）とを通る平面がスクリーン面に平行な方向となす角度は、第２の面１２１ｂがスクリーン面に平行な方向に対してなす角度に等しく、角度θ２である。このとき、第２の面１２１ｂに形成された反射層１３の観察者側（＋Ｚ側）の面も、スクリーン面に平行な方向に対して角度θ２をなしている。
スクリーン１０の透明性を向上させ、外光によるコントラスト低下を抑制し、コントラストの高い映像を表示する観点から、第２の面１２１ｂは、スクリーン面の法線方向に交差する（即ち、スクリーン面に平行な方向に直交しない）ことが好ましく、この角度θ２は、２５°≦θ２≦６５°を満たすことがさらに好ましい。
本実施形態のスクリーン１０では、第２の面１２１ｂは、スクリーン面の法線方向に交差しており、角度θ２は、２５°≦θ２≦６５°を満たしている。
【００３４】
さらに、角度θ２は、上述の条件を満たしながら、θ２≧２×（θ１）を満たすことが望ましい。仮に、θ２＜２×（θ１）であると、映像光の一部が第２の面１２１ｂに入射して反射層１３で反射し、映像源側の正面方向に位置する観察者には届かない不要な方向へ向かったり、迷光となって画質の低下を招いたりする場合がある。
したがって、角度θ２は、上述の条件を満たしながら、θ２≧２×（θ１）を満たすことが望ましい。
【００３５】
図５は、角度θ２と外光との関係を説明する図である。図５（ａ）〜（ｃ）では、図４に示す断面に相当する断面を示している。また、図５（ａ）〜（ｃ）では、反射層１３を簡略化して示している。
図５（ａ）に示すように、角度θ２がθ２＝９０°である場合、即ち、第２の面１２１ｂがスクリーン面に平行な方向に対して直交する場合、映像源側（＋Ｚ側）から大きな入射角度でスクリーン１０に入射した外光Ｇ１７が第２の面１２１ｂ上の反射層１３で反射しても、映像源側上方へ出射する等し、映像源側の正面方向に位置する観察者Ｏ１には届かない。また、背面側（−Ｚ側）から大きな入射角度でスクリーン１０に入射した外光Ｇ１８は、第１の面１２１ａ上の反射層１３を透過して第２の面１２１ｂ上の反射層１３で反射しても、スクリーン１０の映像源側上方へ出射したり、外光Ｇ１８の入射角度によっては、スクリーン１０の映像源側の表面と空気との界面で全反射してスクリーン１０内を上側へ進んだりするため、映像源側の正面方向に位置する観察者Ｏ１には届かない。
【００３６】
しかし、背面側から小さい入射角度でスクリーン１０に入射した外光Ｇ１５の一部は、第１の面１２１ａ上の反射層１３を透過し、第２の面１２１ｂ上の反射層１３に入射して拡散反射され、映像源側の正面方向に位置する観察者Ｏ１に届いてしまう場合がある。また、映像源側から小さい入射角度でスクリーン１０に入射した外光Ｇ１６の一部は、第２の面１２１ｂ上の反射層１３に入射して拡散反射され、背面側の正面方向に位置する観察者に届いてしまう場合がある。
これにより、映像光の非投射時等において、映像源側の正面方向に位置する観察者Ｏ１や背面側の正面方向に位置する観察者には、スクリーン１０の向こう側の景色がぼやけたり、白く滲んだりして観察され、スクリーン１０の透明性が低下する。また、映像光の投射時においては、外光Ｇ１５により、映像のコントラストの低下が生じてしまう。
したがって、スクリーン１０の透明性を向上させ、かつ、映像のコントラスト向上を図る観点から、第２の面１２１ｂがスクリーン面の法線方向に対して交差する（即ち、角度θ２が９０°ではない）ことが好ましい。
【００３７】
また、図５（ｂ）に示すように、角度θ２が、６５°＜θ２＜９０°である場合について説明する。この場合、映像源側（＋Ｚ側）上方から入射した外光Ｇ１９の一部は、第２の面１２１ｂや第１の面１２１ａに形成された反射層１３で反射して、スクリーン１０の映像源側上方へ出射したり、外光Ｇ１９の入射角度によっては、スクリーン１０の映像源側の表面と空気との界面で全反射してスクリーン１０内を上側へ進んだりするため、観察者Ｏ１に届かず、映像の視認の妨げにはならない。
また、映像源側から小さい入射角度でスクリーン１０に入射した外光Ｇ２０の一部は、第２の面１２１ｂ上の反射層１３に入射して反射し、スクリーン１０の背面側上方へ出射するので、映像源側の正面方向に位置する観察者Ｏ１に届かない。また、図示しないが、背面側（−Ｚ側）から小さい入射角度でスクリーン１０に入射した外光は、多くが反射層１３を透過し、仮に第２の面１２１ｂ上の反射層１３で反射しても、スクリーン１０の背面側下方へ出射する等して、映像源側の観察者Ｏ１等には届かない。
【００３８】
しかし、この場合、背面側（−Ｚ側）上方から大きな入射角度でスクリーン１０に入射した外光Ｇ２１の一部が、第１の面１２１ａ上の反射層１３を透過し、第２の面１２１ｂ上の反射層１３に入射して拡散反射し、映像源側の正面方向に位置する観察者Ｏ１に届いてしまい、映像のコントラストの低下を招くことがある。
【００３９】
また、図５（ｃ）に示すように、角度θ２が、０°＜θ２＜２５°である場合について説明する。この場合、背面側（−Ｚ側）上方から大きな入射角度でスクリーン１０に入射した外光Ｇ２２は、第１の面１２１ａ上の反射層１３を透過してスクリーン１０の映像源側下方へ出射するので、映像源側の正面方向に位置する観察者Ｏ１に届かず、映像の視認の妨げにはならない。
また、映像源側（＋Ｚ側）から小さい入射角度でスクリーン１０に入射した外光Ｇ２３の一部は、第２の面１２１ｂ上の反射層１３に入射して反射し、スクリーン１０の映像源側上方へ出射したり、スクリーン１０の映像源側の表面と空気との界面で全反射してスクリーン１０内を上側へ進んだりするため、映像源側の正面方向に位置する観察者Ｏ１に届かない。また、図示しないが、背面側から小さい入射角度でスクリーン１０に入射した外光は、多くが反射層１３を透過し、第２の面１２１ｂ上の反射層１３で反射しても、スクリーン１０の背面側下方へ出射する等して、観察者Ｏ１等には届かない。
【００４０】
しかし、この場合、映像源側（＋Ｚ側）上方から大きな入射角度でスクリーン１０に入射した外光Ｇ２４の一部が、第２の面１２１ｂ上の反射層１３に入射して拡散反射し、映像源側の正面方向に位置する観察者Ｏ１に届いてしまい、映像のコントラストの低下を招くことがある。
また、この場合、単位光学形状１２１において、第２の面１２１ｂが占める面積が大きくなり過ぎ、映像光を観察者側へ反射する第１の面１２１ａの面積が小さくなる。したがって、観察者Ｏ１に届く映像光の光量が減少し、映像が暗く不鮮明となるので好ましくない。
【００４１】
これに対して、図４に示すように、角度θ２が、２５°≦θ２≦６５°である場合、小さな入射角度でスクリーン１０に入射する外光Ｇ１３，Ｇ１４については、一部が第２の面１２１ｂ上の反射層１３で反射しても、スクリーン１０の映像源側上方や下方へ出射する等して、映像源側の観察者Ｏ１や背面側の観察者に届くことはない。また、外光Ｇ１３，Ｇ１４の多くは、第２の面１２１ｂ上の反射層１３を透過する。したがって、映像光の非投射時等にスクリーン１０越しの背景がぼやけたり、白く滲んだりして映像源側や背面側に位置する観察者に視認されることがなく、高い透明性を有し、映像のコントラストや明るさも高いスクリーン１０とすることができる。
また、背面側上方や映像源側上方から大きな入射角度でスクリーン１０に入射する外光Ｇ１１，Ｇ１２については、一部が第２の面１２１ｂ上の反射層１３で反射しても、映像源側上方や下方へ出射する等し、映像源側の正面方向に位置する観察者Ｏ１に届かない。したがって、外光による映像のコントラストの低下を抑制でき、コントラストの高い映像を表示できる。
また、単位光学形状１２１において、映像光を観察者側へ反射する第１の面１２１ａの面積を十分確保でき、また、第２の面１２１ｂに入射する映像光を十分に低減できるので、明るく鮮明な画像を表示できる。
以上のことから、角度θ２は、２５°≦θ２≦６５°を満たすことがより好ましい。
【００４２】
図６は、第１実施形態のスクリーン１０での映像光及び外光の様子を示す図である。図６では、単位光学形状１２１の配列方向（Ｙ方向）及びスクリーンの厚み方向（Ｚ方向）に平行な断面での断面の一部を拡大して示している。また、図６では、理解を容易にするために、スクリーン１０内の各層の界面における屈折率差はないものとして示している。
スクリーン１０の下方に位置する映像源ＬＳから投射され、スクリーン１０に入射した映像光Ｌ１のうち、一部の映像光Ｌ２は、その単位光学形状１２１の第１の面１２１ａに入射し、反射層１３によって拡散反射され、観察者Ｏ１側へ出射する。
【００４３】
第１の面１２１ａに入射した映像光のうち反射しなかった他の映像光Ｌ３は、反射層１３を透過し、スクリーン１０の背面側（−Ｚ側）から出射する。このとき、映像光Ｌ３は、スクリーン１０の上方へと出射し、スクリーン１０の背面側の正面方向に位置する観察者Ｏ２には到達しない。
また、映像源ＬＳから投射された映像光Ｌ１うち、一部の映像光Ｌ４は、スクリーン１０の表面で反射し、スクリーン１０上方へ向かうので、観察者Ｏ１の映像の視認の妨げにはならない。
なお、本実施形態では、映像源ＬＳがスクリーン１０よりも下方に位置し、映像光Ｌ１がスクリーン１０の下方から投射されており、映像光が第２の面１２１ｂに直接入射することは少なく、第２の面１２１ｂは、映像光の反射に及ぼす影響は小さい。
【００４４】
次に、背面側（−Ｚ側）又は映像源側（＋Ｚ側）からスクリーン１０に入射する映像光以外の太陽光等の外界からの光（以下、外光という）について説明する。
図６に示すように、スクリーン１０に入射する外光Ｇ１，Ｇ５のうち、一部の外光Ｇ２，Ｇ６は、スクリーン１０の表面で反射し、スクリーン下方側へ向かう。また、一部の外光Ｇ３，Ｇ７は、反射層１３で反射し、例えば、外光Ｇ３は、スクリーン１０の映像源側（＋Ｚ側）の表面で全反射してスクリーン１０内下方へ向かい、外光Ｇ７は、背面側（−Ｚ側）のスクリーン外上方側へ出射する。また、反射層１３で反射しなかった他の外光Ｇ４，Ｇ８は、反射層１３を透過して、それぞれ背面側、映像源側下方へ出射する。
このとき、映像源側へ出射する外光Ｇ２，Ｇ３，Ｇ８は、観察者Ｏ１には到達せず、また、スクリーン１０に入射した外光の一部は、スクリーン１０の映像源側及び背面側の表面で全反射して、スクリーン内部下方側へ向かい、減衰するので、映像のコントラスト低下を抑制できる。
また、スクリーン１０において、角度θ２は、２５°≦θ２≦６５°を満たしているので、スクリーン１０に映像源側や背面側の上方から入射し、第２の面１２１ｂ上に形成された反射層１３の映像源側の面で反射した外光は、前述のように、映像源側の観察者Ｏ１には届かない。
【００４５】
小さな入射角度で入射する外光Ｇ９，Ｇ１０は、その多くが反射層１３を透過して、それぞれ背面側、映像源側へ出射する。スクリーン１０において、角度θ２は、２５°≦θ２≦６５°を満たしているので、このような小さな入射角度で入射する外光の一部が、第２の面１２１ｂ上に形成された反射層１３の映像源側の面等で反射しても、映像源側や背面側の観察者Ｏ１，Ｏ２には届かない。
また、スクリーン１０は、拡散粒子を含有する拡散材等を含有していないので、このスクリーン１０を透過する外光Ｇ９，Ｇ１０は、拡散されない。
したがって、観察者Ｏ１，Ｏ２がスクリーン１０を通して、スクリーン１０の向こう側の景色を観察した場合に、スクリーン１０の向こう側の景色がぼやけたり、白くにじんだりすることなく、高い透明性を有して観察することができる。
【００４６】
従来の光を拡散する拡散粒子を含有する光拡散層を備えた半透過型の反射スクリーンでは、映像光は、反射層での反射前後の２回拡散されるので、良好な視野角が得られる一方で映像の解像度が低下するという問題がある。また、拡散粒子によって外光も拡散されるため、スクリーンの向こう側の景色がぼやけたり、白くにじんだりして観察され、透明性が低下する。
【００４７】
しかし、本実施形態のスクリーン１０では、光拡散層を備えておらず、映像光は、反射層１３で反射した場合にのみ拡散される。また、本実施形態のスクリーン１０では、反射層１３で反射する光のみが拡散され、反射層１３を透過する光は拡散されない。したがって、本実施形態のスクリーン１０は、良好な視野角及び解像度を有する映像を表示でき、かつ、スクリーン１０の向こう側の景色が白くにじんだり、ぼけたりすることがなく観察者Ｏ１に良好に視認され、高い透明性を実現できる。
また、本実施形態のスクリーン１０では、スクリーン１０に映像光が投射された状態においても、観察者Ｏ１が、スクリーン１０の向こう側（背面側）の景色を一部視認することが可能である。さらに、本実施形態のスクリーン１０では、背面側に位置する観察者Ｏ２は、映像光の投射の有無に関わらず、スクリーン１０越しに映像源側（＋Ｚ側）の景色を高い透明性を有して良好に視認することができる。
【００４８】
さらに、本実施形態のスクリーン１０では、第２の面１２１ｂがスクリーン面に平行な面となす角度θ２が、２５°≦θ２≦６５°を満たしているので、映像源側上方及び背面側上方から大きな入射角度で入射する外光が、第２の面１２１ｂ上の反射層１３で拡散反射して、不要な外光が映像源側の正面方向に位置する観察者Ｏ１に届くことがない。また、本実施形態のスクリーン１０では、角度θ２が、２５°≦θ２≦６５°を満たしているので、小さな入射角度で入射する外光が、第２の面１２１ｂ上の反射層１３で拡散反射することによるスクリーン１０の透明性の低下を抑制できる。
したがって、本実施形態によれば、高い透明性と、コントラストが高く明るい映像を表示できるスクリーン１０、映像表示装置１とすることができる。
【００４９】
（第２実施形態）
図７は、第２実施形態のスクリーン２０について説明する図である。図７では、第１実施形態のスクリーン１０の図２に示す断面に相当するスクリーン２０の断面を示している。
第２実施形態のスクリーン２０は、反射層１３の形状が異なる以外は、前述の第１実施形態のスクリーン１０と同様である。したがって、前述した第１実施形態と同様の機能を果たす部分には、同一の符号又は末尾に同一の符号を付して、重複する説明を適宜省略する。
第２実施形態のスクリーン２０は、映像源側（＋Ｚ側）から順に、基材層１１、第１光学形状層２２、反射層２３、第２光学形状層２４、保護層１５を備えており、これらの層が一体に積層されている。第１光学形状層２２、反射層２３、第２光学形状層２４は、ぞれぞれ、第１実施形態の第１光学形状層１２、反射層１３、第２光学形状層１４に相当する。このスクリーン２０は、前述の第１実施形態に示した映像表示装置１に適用可能である。
【００５０】
第１光学形状層２２は、第１実施形態の第１光学形状層１２と同様に、背面側にオフセット構造のサーキュラーフレネルレンズ形状を有している。
図８は、第２実施形態の単位光学形状２２１及び反射層２３を説明する図である。
単位光学形状（単位レンズ）２２１は、図８に示すように、その第１の面（レンズ面）２２１ａ及び第２の面（非レンズ面）２２１ｂの少なくとも一部がなだらかな曲面状であり、単位光学形状２２１間の谷部分や単位光学形状２２１の頂部も曲面により形成されている。
また、単位光学形状２２１は、その表面が微細かつ不規則な凹凸形状を有する粗面である。
【００５１】
反射層２３は、図７及び図８に示すように、単位光学形状２２１の配列方向及びスクリーン面の厚み方向における断面において、曲線状に形成されており、映像源側の面及び背面側の面は、単位光学形状２２１の配列方向において少なくとも一部が曲面となっている。また、反射層２３は、単位光学形状２２１の凹凸形状に対応して、その表面が微細かつ不規則な凹凸形状を有する粗面となっている。
本実施形態における第２の面２２１ｂとなる領域は、図８に示す断面において、谷底となる点ｖから頂点ｔまでの領域である。第２の面２２１ｂにおいて、最も背面側となる点（即ち、頂点ｔ）と、最も映像源側となる点（即ち、隣り合う単位光学形状２２１の間の谷底となる点ｖ）とを通る平面Ｍを想定するとき、この平面Ｍがスクリーン面に平行な方向となす角度が、角度θ２である。
また、図８に示すように、第２の面２２１ｂにおいて、第２の面２２１ｂの接線Ｓがスクリーン面に平行な方向となす角度が、角度θ３である。この角度θ３は、１つの第２の面２２１ｂ内において、単位光学形状２２１の配列方向に沿って次第に変化している。
【００５２】
本実施形態のスクリーン２０では、上述の平面Ｍがスクリーン面の法線方向に対して交差し、かつ、角度θ２が２５°≦θ２≦６５°を満たしている。
また、本実施形態のスクリーン２０では、第２の面２２１ｂにおいて、角度θ３が、０°≦θ３＜２５°となる領域の面積と６５°＜θ３≦９０°となる領域の面積との和が、２５°≦θ３≦６５°である領域の面積よりも小さい。このような形態とすることにより、スクリーン１０の透明性を向上させ、映像のコントラストや明瞭さを向上させている。
このような形態とした場合にも、前述の第１実施形態と同様に、透明性が高く、映像のコントラストの高いスクリーン２０及び映像表示装置１とすることができる。
【００５３】
（変形形態）
以上説明した各実施形態に限定されることなく、種々の変形や変更が可能であって、それらも本発明の範囲内である。
（１）各実施形態において、スクリーン１０，２０の映像源側（＋Ｚ側）の面に、傷つき防止を目的としたハードコート層を設けてもよい。ハードコート層は、例えば、スクリーン１０，２０の映像源側の面（基材層１１の映像源側の面）に、ハードコート機能を有する紫外線硬化型樹脂（例えば、ウレタンアクリレート等）を塗布して形成する等により、形成される。
また、ハードコート層に限らず、スクリーン１０，２０の使用環境や使用目的等に応じて、例えば、反射防止機能、紫外線吸収機能、防汚機能、帯電防止機能等、適宜必要な機能を有する層を１つ又は複数選択して設けてもよい。さらに、基材層１１の映像源側（＋Ｚ側）にタッチパネル層等を設けてもよい。
例えば、スクリーン１０，２０の映像源側の表面に反射防止層を設けた場合には、映像光のスクリーン入射時の反射を抑制して映像光の入射光量を増加させることに加え、反射層１３で反射した光の一部が、スクリーンの映像源側表面で反射して背面側（−Ｚ側）から出射することにより、背面側に位置する観察者Ｏ２に映像が一部見えてしまうこと等も防止することができる。
【００５４】
（２）第１実施形態において、単位光学形状１２１は、第１の面１２１ａ及び第２の面１２１ｂが平面により形成される例を示し、第２実施形態において、単位光学形状２２１は、第１の面２２１ａ及び第２の面２２１ｂが曲面により形成される例を示したが、これに限らず、例えば、単位光学形状１２１の第１の面１２１ａ及び第２の面１２１ｂ、単位光学形状２２１の第１の面２２１ａ及び第２の面２２１ｂは、曲面と平面とが組み合わされた形態としてもよいし、折れ面状としてもよい。
また、各実施形態において、単位光学形状１２１，２２１は、３つ以上の複数の面によって形成される多角形形状としてもよい。
【００５５】
（３）各実施形態において、反射層１３，２３は、第１の面１２１ａ，２２１ａ及び第２の面１２１ｂ，２２１ｂの全面に形成される例を示したが、これに限らず、例えば、第２の面１２１ｂ，２２１ｂの少なくとも一部と第１の面１２１ａ，２２１ａの全面に形成される形態としてもよい。
また、各実施形態において、第１の面１２１ａ，２２１ａ及び第２の面１２１ｂ，２２１ｂは、微細かつ不規則な凹凸形状が形成された粗面である例を示したが、これに限らず、第１の面１２１ａ，２２１ａのみが粗面である形態としてもよい。
【００５６】
（４）各実施形態において、スクリーン１０，２０は、第１光学形状層１２，２２及び第２光学形状層１４，２４が十分な厚みや剛性等を有している場合には、基材層１１及び保護層１５を備えない形態としてもよいし、どちらか一方を備えない形態としてもよい。
また、各実施形態において、スクリーン１０，２０は、基材層１１及び保護層１５の少なくとも一方を、ガラス板等の光透過性を有する板状の部材としてもよい。このとき、粘着剤層等を介して第１光学形状層１２，２２等がガラス板等に接合される形態としてもよい。
【００５７】
（５）各実施形態において、第１光学形状層１２，２２は、単位光学形状１２１，２２１が画面左右方向に延在し、画面上下方向に複数配列されるリニアフレネルレンズ形状を背面側（−Ｚ側）の面に有する形態としてもよい。
【００５８】
（６）各実施形態において、スクリーン１０，２０は、黒や灰色等の暗色系の着色材等で着色され、入射した光の一部を吸収する光吸収性を有する不図示の光吸収層を備えていてもよい。この光吸収層は、反射層１３，２３よりも映像源側（＋Ｚ側）に位置していてもよいし、反射層１３，２３よりも背面側（−Ｚ側）に位置していてもよい。
光吸収層をスクリーン１０，２０に設けることにより、スクリーン１０，２０に入射した外光等により生じ、スクリーン１０，２０の表面と空気との界面で全反射しながらスクリーン１０，２０内を進む迷光を吸収でき、迷光による映像のコントラスト低下等を抑制できる。
また、光吸収層が、反射層１３，２３よりも映像源側に位置する場合には、映像の黒輝度の低減や映像源側から入射する外光を吸収でき、映像のコントラストの向上を図ることができる。また、光吸収層が、反射層１３，２３よりも背面側に位置する場合には、背面側から入射する外光を吸収し、映像のコントラストを向上させることができる。
なお、上述の光吸収層は、着色材を含有せず、透明な層であって光吸収作用を有する層としてもよい。
【００５９】
（７）各実施形態において、映像源ＬＳは、スクリーン１０，２０の画面左右方向の中央であって画面外の下方に位置する例を挙げて説明したが、これに限らず、例えば、スクリーン１０，２０の斜め下側等に配置され、スクリーン１０，２０に対して画面左右方向において斜め方向光から映像光を投射する形態としてもよい。
各実施形態においては、スクリーン１０，２０の第１光学形状層１２，２２は、サーキュラーフレネルレンズ形状を有している。したがって、このような変形形態とする場合には、映像源ＬＳの位置に合わせて、フレネルセンターとなる点Ｃの位置をずらした形態とする。また、スクリーン１０，２０の第１光学形状層１２，２２がリニアフレネルレンズ形状を有する場合には、映像源の位置に合わせて、単位光学形状の配列方向を傾斜させた形態とすることにより、このような変形形態を適用できる。
【００６０】
（８）各実施形態において、映像源ＬＳは、例えば、Ｐ波の偏光成分を有する映像光を投射するものとしてもよい。
このとき、映像源ＬＳは、映像光が入射角φでスクリーン１０，２０へ投射されるように位置及び角度が設定されている。この入射角φは、スクリーン１０，２０へ投射された映像光（Ｐ波）の反射率がゼロとなる入射角（ブリュースター角）をφｂ（°）とした場合、（φｂ−１０）°以上８５°以下の範囲に設定される。例えば、スクリーン１０，２０へ投射された映像光の反射率がゼロとなる入射角φｂが６０°である場合、映像光の入射角φは、５０〜８５°の範囲に設定される。
このように、Ｐ波の偏光成分を有する映像光を投射する映像源ＬＳを用いることにより、スクリーン１０，２０への入射角φが大きい場合にも、スクリーン１０，２０の表面における鏡面反射を抑制することができ、映像源ＬＳの設置位置等、投射系の設計の自由度を上げることができる。また、このような映像源ＬＳを用いることにより、スクリーン１０，２０に入射する際にスクリーン表面での映像光の反射を低減でき、映像の明るさ、鮮明さの向上を図ることができる。
なお、角度φｂ（ブリュースター角）は、映像光が投射されるスクリーン１０，２０表面の材質により異なる。また、このような形態の場合、基材層１１及び保護層１５としては、ＴＡＣ製のシート状の部材が好適である。
【００６１】
（９）各実施形態において、スクリーン１０，２０は、不図示の支持板に接合（あるいは部分固定）されてその平面性を維持する例を示したが、これに限らず、例えば、スクリーン１０，２０は、不図示の枠部材等によってその四辺等が支持され、その平面性を維持する形態としてもよい。
【００６２】
（１０）各実施形態において、映像表示装置１は、店舗等のショーウィンドウに適用される例を示したが、これに限らず、例えば、室内用のパーテーションや、展示会等における映像表示等にも適用できる。また、スクリーン１０，２０をフロントガラスに貼り合わせる等し、映像表示装置１を自動車のヘッドアップディスプレイ（ＨＵＤ：ＨＥＡＤ−Ｕｐ  Ｄｉｓｐｌａｙ）に適用してもよいし、自動車以外の乗り物に適用してもよい。
【００６３】
なお、実施形態及び変形形態は、適宜組み合わせて用いることもできるが、詳細な説明は省略する。また、本発明は以上説明した実施形態等によって限定されることはない。
【符号の説明】
【００６４】
１    映像表示装置
１０，２０    スクリーン
１１    基材層
１２，２２    第１光学形状層
１２１，２２１    単位光学形状
１２１ａ，２２１ａ    第１の面
１２１ｂ，２２１ｂ    第２の面
１３，２３    反射層
１４，２４    第２光学形状層
１５    保護層
ＬＳ    映像源
【図１】
2018063404.tif 000003
【図２】
2018063404.tif 000004
【図３】
2018063404.tif 000005
【図４】
2018063404.tif 000006
【図５】
2018063404.tif 000007
【図６】
2018063404.tif 000008
【図７】
2018063404.tif 000009
【図８】
2018063404.tif 000010